(57)【要約】【課題】地震などの外部振動に反応して自動的にスイッチが入り、光などを一定時間発した後に自動的にスイッチが切れる振動反応型スイッチを提供する。【解決手段】外部振動で金属線１８で吊るされた強磁性体の振り子１７が揺れて、永久磁石２４の中心から離れた振り子３０の位置で永久磁石２４に吸引され、導電性の面２５と接触してスイッチが入る。熱容量の大きい絶縁体２２に覆われた金属線１８に直列に接続された電池からの電流による発熱で変態点になると形状記憶合金の金属線１８が変形して振り子３０を吊す長さが短くなり、振り子３０と導電性の面２５の接触が解放されてスイッチが切れ、振り子３０がもとの振り子１７の位置に戻る。変態点に達するまでの一定時間スイッチをオンする。【選択図】　　　　図１
2004127898.tif 000002
【特許請求の範囲】
【請求項１】
金属線で吊された揺動可能な磁性体素片と、鉛直方向に吊した該金属線の部分と一致した中心軸に回転対称の固定した磁性体の面を該磁性体素片の揺動範囲に対向して配置し、該金属線の少なくとも一部に形状記憶合金を用いる第１の構成に、該磁性体素片と一体の導電性の面と該固定した磁性体と一体の導電性の面の接触時に該金属線を含み連続して電気的導通になる第２の構成に、該磁性体素片が該中心軸と平行に吊された状態で該磁性体素片と一体の導電性の面が該固定した磁性体と一体の導電性の面と離れ、該磁性体素片が該中心軸から一定以上離れて吊された状態で該磁性体素片と一体の導電性の面が該固定した磁性体と一体の導電性の面に接触する第３の構成に、該金属線から該磁性体素片と一体の導電性の面を介し該固定した磁性体と一体の導電性の面までの通電経路に直列に電池を接続する第４の構成に、該中心軸を鉛直方向にした状態で外部の振動で励起されて揺動する該磁性体素片と一体の導電性の面と該固定した磁性体と一体の導電性の面との吸引接触時に、該形状記憶合金に流れる電流発熱による該形状記憶合金の変形で、該磁性体素片と一体の導電性の面と該固定した磁性体と一体の導電性の面の接触が解除される第５の構成に、該形状記憶合金の金属線が該形状記憶合金より大きい熱容量を有する絶縁体で覆われる第６の構成にし、第１から第６までの構成により振動に反応して電気的な導通と非導通のいずれかが選択されることを特徴とする振動反応型スイッチ。
【請求項２】
前記形状記憶合金の金属線に電気的に並列に導体を接続した構成にすることを特徴とする請求項１記載の振動反応型スイッチ。
【請求項３】
前記導体が前記絶縁体の周りに巻かれる構成にすることを特徴とする請求項１から３記載の振動反応型スイッチ。
【請求項４】
前記形状記憶合金の金属線が前記絶縁体との境において伸縮自在に滑る構成にすることを特徴とする請求項１記載の振動反応型スイッチ。
【請求項５】
前記形状記憶合金の金属線の表面を潤滑層で被覆し、前記形状記憶合金の金属線を接着層を介して前記絶縁体で覆う構成にすること特徴とする請求項４記載の振動反応型スイッチ。
【請求項６】
複数個の電池と前記第４の構成の通電経路および光源を直列に接続する１の経路と、該複数個の電池の一部と該光源を直列に接続する２の経路を切り換える構成にすることを特徴とする請求項１から５記載の振動反応型スイッチ。
【請求項７】
前記１の経路に直列に抵抗素子を接続し、前記２の経路に抵抗素子を直列に接続しない構成にすることを特徴とする請求項６記載の振動反応型スイッチ。
【発明の詳細な説明】
【０００１】
【発明の属する技術分野】
本発明は、地震などの揺れに反応して非常用の懐中電灯などに自動的に通電するスイッチに関する。
【０００２】
【従来の技術】
従来より地震の揺れに反応して懐中電灯を自動的に点灯するスイッチとして、実開昭５７−１４３５３６や特開平８−３１５７００があった。実開昭５７−１４３５３６で示された従来例の図６では、地震の揺れによって強磁性体の振り子１が振れて永久磁石２に近接することによる吸引力で導電性部３に接触した状態になる。振り子１は導電性を有し、振り子１を吊るす鎖紐４から振り子１、導電性部３、および連結板５を介して導線６と導線７の間が導通してスイッチがオンの状態になる。一度振り子１が導電性部３と永久磁石２の吸引力で接触した状態になるとその状態を保ち、導線６と導線７に接続された白熱電球が点灯したままになる。振り子１と導電性部３の接触を解除してスイッチをオフにするには、人の手でケース体８か支柱９を上下方向に移動させて制御筒１０で振り子１を押さえ込んで鉛直方向に戻して吊る必要があった。
【０００３】
特開平８−３１５７００で示された従来例の図７は、永久磁石１１と導電性の金属１２を表面に設けて一体として作られた振り子１３をスプリング１４で吊り下げることで地震の揺れによって振れるようにした。振り子１３の振れがある程度以上大きくなると、永久磁石１１と円筒状の導電性の磁性体金属１５との吸引力で振り子１３の導電性の金属１２と導電性の磁性体金属１５が接触した導通状態になり、リード線１６を介してスイッチがオンする。人の手で強制的に接触を開放してスイッチをオフにしない限り通電状態を保ち、白熱電球を点灯し続けることになる。
【０００４】
【発明が解決しようとする課題】
地震などの外部振動により磁性体の振り子が揺れて磁石の吸引力で振り子の導電性の表面と固定した導電性部分とが接触した状態になり、自動的にスイッチがオンして非常用の白熱電球が点灯されるが、一度互いに接触した状態になると磁石の吸引力から逃れられずスイッチがオンの状態を続ける。スイッチをオフにするためには、人の手で振り子を強制的に離す必要があった。また、地震以外の衝撃で振り子が大きく振れてスイッチがオンして気付かない場合には、電池は消耗して非常時に使用できなくなる可能性があった。
【０００５】
【課題を解決するための手段】
上記課題を解決するため、本発明の振動反応型スイッチは以下の構成をとる。請求項１で示したように、磁性体素片からなる振り子を揺動可能に金属線で吊るす。金属線の少なくとも一部に形状記憶合金を用いて振り子の吊るされる長さを定まったものにしない構成にする。磁性体素片の振り子に対向して固定した磁性体を配置して、互いに磁力による吸引力で引き合うようにする。振り子がどの方向に振れても吸引力を同じ条件にするため、磁性体素片の振り子の揺動範囲内で鉛直方向に吊るした金属線の部分と一致した中心軸に回転対称な形状に固定した磁性体を形成し、配置する第１の構成にする。
【０００６】
また、連続した通電経路を形成するため、金属線と磁性体素片の振り子と一体の導電性の面とは電気的に接続し、少なくとも振り子が揺動して接触する範囲で固定した磁性体と一体の導電性の面と電気的に接する第２の構成にする。一体の導電性の面とは、それぞれの磁性体自身が導電性の面のもの、表面に導電性の別のものを設けたもの、あるいは直接磁性体に設けずにある程度の間隔で導電性の金属面で形成して一体化したものである。
【０００７】
また、スイッチをオフからオン状態にするため、鉛直方向の中心軸と平行に吊るされた状態で、磁性体素片と一体の導電性の面と固定した磁性体と一体の導電性の面が非振動時に接触せず、一定以上振れた時に接触する相互の距離に成るような第３の構成にする。
【０００８】
電流を流すために、金属線から磁性体素片と一体の導電性の面を介し、固定した磁性体と一体の導電性の面までの通電経路に直列に電池を接続する第４の構成にする。また、スイッチをオンからオフ状態にするため、全体の構成の中心軸を鉛直方向にした状態で外部の振動で励起されて振動する磁性体素片と一体の導電性の面と固定した磁性体と一体の導電性の面が磁石の吸引力で接触して電流が流れ、この電流による発熱で金属線の形状記憶合金が変形することで互いの導電性の面の接触が解除される第５の構成にする。
【０００９】
電流のジュール発熱による形状記憶合金の温度上昇を緩和して、磁性体素片と一体の導電性の面と固定した磁性体と一体の導電性の面が接触して電流が流れてから変形し、互いの導電性の面が離れて電気的に切断されるまでの時間を長くし、さらに時間の長さを均一化するため、形状記憶合金の金属線を熱容量の大きい絶縁体で密着して覆う第６の構成にする。
【００１０】
請求項２で示すように、全体に流す電流を大きく保ちながら、形状記憶合金の金属線に流す電流の大きさを適性なものにするため、形状記憶合金の金属線と電気的に並列に導体を接続する。この導体は銅線等の低い比抵抗の金属線にするとよい。
【００１１】
請求項３で示すように、形状記憶合金の金属線と並列に分岐した導体の金属線が長い場合には、金属線を構成上安定させるために絶縁体の周りに巻く構成にする。
【００１２】
請求項４で示すように、形状記憶合金の金属線が絶縁体で覆われても、形状記憶合金の金属線が密着した絶縁体との密着した境で伸縮自在に滑る構成にする。
【００１３】
請求項５で示すように、絶縁体との境で形状記憶合金の金属線を滑らすために、形状記憶合金の金属線の表面を潤滑層で被覆し、接着層を介して絶縁体で覆われる構成にする。
【００１４】
請求項６で示すように、光源の明るさを暗くせずに本発明の振動反応スイッチを動作させるため、形状記憶合金の金属線、吊るされた磁性体素片と一体の導電性の面、そして固定した磁性体と一体の導電性の面からなる通電経路と複数の電池および光源を直列に接続する１の経路を形成する。また、複数の電池の一部と光源を直列に接続する２の経路を形成し、１の経路と２の経路を手動スイッチなどで切り換える構成にする。
【００１５】
請求項７で示すように、光源を一定の明るさにして本発明の振動反応型スイッチを動作させるため、形状記憶合金の金属線と複数の電池および光源などを直列に接続した請求項６の１の経路に直列に抵抗素子を接続し、複数の電池の一部と光源を直列に接続した手動スイッチなどで切り換わる請求項６の２の経路には抵抗素子を接続しない構成にする。
【００１６】
【作　用】
上記のように構成された振動反応型スイッチに地震などの大きい外部振動が加わり、金属線に吊された振り子である磁性体素片が一定以上に振れた場合に、磁性体素片と一体の導電性の面が固定した磁性体と一体の導電性の面と接触して自動的にスイッチがオンになり、片方の磁性体を永久磁石に他方の磁性体を強磁性体にすることで接触状態を保つ。電池からの電流で金属線を形成する形状記憶合金の部分の発熱により温度が上がり形状が変化して吊された長さを短くする。この時に相互の導電性の面の接触が解除されて自動的にスイッチがオフになり、振り子はもとの非接触に吊された状態に戻る。結果、白熱電球などの光源が接続されていて大きな振動が加わると自動的に点灯し、適当な時間の後に自動的に消灯する。
【００１７】
形状記憶合金の金属線に熱容量の大きい絶縁体を密着させることにより、形状記憶合金の変態点の温度に達するまでの温度上昇を緩和し、形状記憶合金の金属線が大きく縮むまでの時間を長くして、自動的にスイッチがオンになり、自動的にオフになるまでの時間を数分間保つ。
【００１８】
形状記憶合金の金属線、磁性体素片と一体の導電性の面、固定した磁性体と一体の導電性の面までの通電経路と光源および複数の電池を直列に接続した１の経路と、複数の電池の一部と光源を直列に接続した２の経路を手動スイッチなどで切り換えることにより、本発明の振動反応型スイッチ動作時の光源の明るさと、手動スイッチで切り換えた光源の明るさが同程度になる。
【００１９】
【発明の実施の形態】
発明の実施の形態を実施例にもとづき図面を参照して説明する。
図１において、本発明の振動反応型スイッチの実施例を断面図で示す。磁性体素片である強磁性体の振り子１７は金属線１８によりクランプ部１９で吊され、金属線１８は形状記憶合金の金属線で構成される。クランプ部１９は筐体の一部である支持板２０の中央の支持部２１で位置決めされる。形状記憶合金の金属線１８の周りに密着した絶縁体２２を形状記憶合金の金属線１８のほぼ全長にわたり設ける。全体の構成の中心軸と平行な鉛直方向に静止して吊された振り子１７は、固定ケース２３に固着された固定した磁性体である永久磁石２４と一体の導電性の面２５から離れた状態に保持される。
【００２０】
永久磁石２４は固定ケース２３に固着され、固定ケース２３をねじ部２６でケース２７に６角孔２８で回転させながら組み込み固定する。ケース２７はねじ部２９で電池や、各種の負荷を収納した本体ケースに固定される。
【００２１】
永久磁石２４は、振り子１７と対向する面が全体の構成の中心軸に対して回転対称な面にされる。永久磁石２４の面には導電性の面２５が一体として形成され、振り子１７は中心軸から一定以上離れて振れた振り子３０の位置で導電性の面２５に接触するように、金属線１８が真直ぐの状態で振り子３０が接する程度の面にされる。永久磁石２４に吸引されて接触すると、その状態を保つ。振り子１７は金属の強磁性体で構成するため、表面は導電性の面である。本発明の振動反応型スイッチは、金属線１８から導電性の振り子３０、永久磁石２４と一体の導電性の面２５までの通電経路を形成する。
【００２２】
この通電経路に電池が直列に接続されていると、形状記憶合金の金属線１８に電流が流れる。電流により発生するジュール熱で温度が上昇し、金属線１８を形成する形状記憶合金の変態点の温度ほどになると形状記憶合金の金属線１８が収縮する。収縮時の力により振り子３０が導電性の面２５との接触から解放され、通電経路の電気的な導通が遮断される。裸の金属線で吊るした場合には、収縮する時間が短かったり、収縮時間のばらつきが大きく、収縮の挙動が不安定になる問題がある。
【００２３】
形状記憶合金の金属線１８に、この金属線１８より熱容量が大幅に大きい絶縁体２２が密着していることで、形状記憶合金の金属線１８で発生するジュール熱は絶縁体２２の温度を上昇させるのにも使われ、形状記憶合金の変態点の温度まで達する時間が大幅に長くなる。絶縁体２２の形状、材質を適正に選択し、形状記憶合金の金属線１８が縮むまでの時間を数分ほどに長くし、同時に収縮時間の均一化もはかる。
【００２４】
全体の構成の中心軸に回転対称に形成された永久磁石２４の面と一体の導電性の面２５は、中心軸を中心とした円環状に形成されて、クランプ部１９の中心から金属線１８が直線状になった状態で振り子１７が接するほどの距離にされている。永久磁石２４の面の着磁は円環状の磁極パターンでもよいし、直線で平行の磁極パターンでもよい。振り子１７が永久磁石２４に強く吸引されるのは異なる磁極の間であり。また異なる磁極の間隔が小さくなると、吸引力が高さ方向で急速に減衰するため、形状記憶合金の金属線１８の収縮する長さが短い場合には、異なる磁極の間隔を小さくする必要がある。
【００２５】
振り子１７の重さは直径の３乗に比例して大きくなる。永久磁石２４の磁界により強磁性体の振り子１７に働く吸引力は直径の３乗より低い乗数に比例する。したがって、振り子１７が吸引力で固定され、形状記憶合金の金属線１８が収縮して短くなると固定位置から離れて自重でもとの静止位置に揺れなが戻るためには、振り子１７は適当な大きさにされる必要がある。当然ながら、永久磁石２４のエネルギー積や異なる磁極の間隔を考慮する必要があることは言うまでもない。柔軟な形状が適す理由から、ゴム磁石などの複合磁石でも利用できる。
【００２６】
振り子１７を吊る金属線１８は、長さが大きく変化する形状記憶合金が望ましい。通常の形状記憶合金は、変態点前後での運動ひずみの差として生じる変形である長さ変化の比率は１パーセント程度である。本発明の振動反応型スイッチに用いるには長さ変化がある程度大きいことが必要である。具体的には最低でも１ミリメートルほどの長さの変化は必要である。またヒステリシスが小さく、変態点も適当な温度の範囲であることも重要である。
【００２７】
通常の形状記憶合金用いられるＴｉ−Ｎｉ系やＴｉ−Ｎｉ−Ｃｕ系を用い、引っ張り方向に特性を向上した異方性材料で動作ひずみを引っ張り縮み方向に特化した形状記憶合金にすると、５パーセントほどの長さの変化を得ることができる。また、ヒステリシスを小さく、変態点も摂氏６５度程度の扱いやすい温度領域にすることもできる。
【００２８】
振り子１７が揺れて、導電性の面２５に接触した振り子３０の位置の状態になると、直列に接続した電池から電流が形状記憶合金の金属線１８に流れる。金属線１８の温度が次第にジュール熱で上昇して形状記憶合金の変態点以上になると金属線１８が短縮し、収縮する時の力で振り子３０は導電性の面２５との接触から解放されて、もとの静止位置に減衰しながら戻る。振り子１７と導電性の面２５との接触時にスイッチが入り（オン）、接触した状態でスイッチが入り続け（オン状態）、接触が解放された時にスイッチが切れる（オフ）。
【００２９】
スイッチが入った状態の時間の長さを決めるパラメーターは複数になる。形状記憶合金の金属線１８の種類、径、および長さが決められている場合、図１の実施例で示されるように、形状記憶合金の金属線１８の周りに、ほぼ全長に密着して熱容量の大きい絶縁体２２が配置されていると、形状記憶合金の金属線１８に流す電流と絶縁体２２の形状と材質が本発明の振動反応型スイッチのオンからオフまでの時間を決める要因になる。
【００３０】
二方向性の形状記憶効果を有し、直径１００マイクロメーター、長さ５０ミリメーターで、摂氏２６度での抵抗値が６．８オームの変形率が５％ほどの形状記憶合金の金属線１８を単独に裸で用いた場合、縮み始めるまでの時間、縮み方、および収縮の大きさは、形状記憶合金の金属線１８の周囲の気温、発生する対流など不確定要因により大きく変化し、再現性の範囲の幅も大きく、実用的でない。
【００３１】
形状記憶合金の金属線１８に密着して絶縁体２２に板状の天然ゴムを選択して挟んで張り合わせた構成にし、電流を形状記憶合金の金属線１８に流すと、図２のグラフで示す電流−保持時間の関係になる。保持時間とは、形状記憶合金の金属線の収縮が終わるまでの時間を言う。２００ミリアンペアの通電では変形に４分以上を費やし、２１０ミリアンペアの通電では２分ほどで変形を終了し、２２０ミリアンペアから２３０ミリアンペアと電流で大きくなると保持時間は大幅に短くなり、２４０ミリアンペアでは保持時間の短縮の変化は小さくなる。天然ゴムは熱伝導率が小さく、２４０ミリアンペア以上の電流を流した場合には形状記憶合金の金属線の温度上昇が早く、絶縁体２２の多くの温度が上昇するより早く変態点の温度に達することが予想される。
【００３２】
適正な電流値を選ぶことにより、絶縁体２２で覆われた形状記憶合金の金属線１８は保持時間を数分間確保できる。また、形状記憶合金の金属線１８には裸の場合に比べて大きい電流を流すことになる。光源の白熱電球を点灯し、暗闇で所在を確認するためには、３００ミリアンペア以上流す必要があり、全体の電流が大きくなるため、形状記憶合金の金属線１８に流すべき電流が３００ミリアンペアに近似している必要がある。電流の大きさに対応する形状記憶合金の金属線１８の振る舞いは、形状記憶合金の金属線１８の径によって大きく変化する。
【００３３】
図１の実施例において、形状記憶合金の金属線１８は密着した絶縁体２２との境で伸縮自在に滑る必要がある。形状記憶合金の金属線１８が絶縁体２２との境で絶縁体２２と固く密着していると、形状記憶合金の金属線１８の伸縮が絶縁体２２の形状変化の反発力で抑制されたり、金属線１８自体の疲労を招く結果になる。絶縁体２２を金属線１８に密着して覆う構成にするには、接着層を介して板状の絶縁体２枚を張り合わせる方法が簡単である。その場合には、接着層を金属線１８に固着させないため、金属線１８の表面に潤滑層を設け、金属線１８が境で滑らかに伸縮できるようにする。あるいは量産の方法として、断面が円形の絶縁体で形状記憶合金の金属線を被覆し、やはり境に潤滑層を形成してもよい。
【００３４】
形状記憶合金の金属線１８を、厚さを有する結果として比較的剛性が大きい天然ゴムの絶縁体２２で覆うことにより、直下型地震の場合のように鉛直方向の振動を含む外部振動が加わった場合、先端に吊された磁性体素片の振り子１７が鉛直方向に暴れず、固定した磁性体である着磁された永久磁石２４に設けられた導電性の面２５に接したり、当たりやすくなり、本発明のスイッチングの目的を効果的に達成することにも寄与する。また、金属線１８がからまることを防ぐ。図１の実施例で示した絶縁体２２の形状は板状でなくてもよく、例えばチューブ形状でもよい。
【００３５】
図３は本発明の振動反応型スイッチの他の実施例を示す。対応するものには図１の実施例の場合と同じ符号を用いる。形状記憶合金の金属線１８と電気的に並列に導体の金属線３１を接続する以外は図１の実施例と同じである。分岐した導体の金属線３１は絶縁体２２の周りに巻いて配置される。分岐した導体の金属線３１は銅線で構成するのが適当で、結果として線径が細く、長さが長くなるため、導体の金属線３１が乱れるのを防ぐことになる。
【００３６】
導体の金属線と形状記憶合金の金属線１８で振り子１７が振れて永久磁石２３上の導電性の面２４に接して流れる電流を分岐することで、白熱電球などの光源に流す全体の電流値の３５０ミリアンペアを、導体の金属線３１に１５０ミリアンペア、形状記憶合金の金属線１８に２００ミリアンペアの電流で分流することができる。光源である白熱電球の光度を保ち、絶縁体２２で覆われた形状記憶合金の金属線１８が大きく縮んで変形するまでの時間を数分間保つように個々の電流を制御する自由度が大きくなる。
【００３７】
図４は、図３で示した本発明の振動反応型スイッチを一体として組み込んだ非常用の懐中電灯での適用例を、一部を断面構成にして示したものである。絶縁体２２で覆われ、導体の金属線３１が並列に接続された形状記憶合金の金属線１８から金属接点３２を介して電池３３の片方の極３４に接続される。電池３３の他の極３５は白熱電球３６から反射用の金属３７に至り、反射用の金属３７から永久磁石２４と一体の導電性の面２５に接続される。この接続構成は本発明の振動反応型スイッチの適用例のひとつである、外部振動により自動的にスイッチが入り、白熱電球３６が点灯し、しかる時間点灯が持続し、後スイッチがオフになり点灯が途絶える。
【００３８】
手動スイッチ３８は、本発明の振動反応型スイッチの通電経路と電池と白熱電球３６を直列に接続した通電経路を切り換えるもので、手動で白熱電球を点灯させ、また切ることができる。白熱電球３６以外のＬＥＤなどの光源、あるいは、ブザーなどの音を発する装置を負荷として接続する応用にも展開できる。
【００３９】
振動反応型スイッチのケース２７は非常用の懐中電灯の本体ケース４２に固定され、全体は６角孔２８の部分を支えにして、壁などに固定する支持台４３で取り外し可能に全体を鉛直方向に支持するとよい。
【００４０】
図５は本発明の振動反応型スイッチを光源である白熱電球に用いた場合の接続経路の模式図を示す。図５（ａ）は、図１の実施例、図５（ｂ）は、図３の実施例の本発明の振動反応スイッチに白熱電球４１、４２を用いて切り換えスイッチ４３、４４を組み込んだ場合の接続経路の模式図を示す。図５（ｃ）は、複数の電池４５、４６を図３の実施例の振動反応型スイッチと白熱電球４７を直列に接続した１の経路と、複数の電池の一部４５と白熱電球４７を直列に接続した２の経路を切り換えスイッチ４８で切り換える接続経路の模式図を示す。
【００４１】
図５（ｄ）は、図５（ｃ）の接続経路の１の経路に直列に接続され、２の経路に接続されない抵抗素子４９を入れた接続経路の模式図を示す。図５（ｄ）の接続経路の模式図の抵抗素子４９は、図５（ｃ）での複数の電池４５、４６を１の経路に接続した場合に光源である白熱電球４７が明るくなり過ぎるのを抑制し、あるいは白熱電灯４７が切れるのを防ぐため、１の経路に直列に接続したものである。２の経路には抵抗素子は直列に接続されない。
【００４２】
【発明の効果】
本発明の振動反応型スイッチは、以上説明したように構成されているので、以下に記載されるような効果を奏する。
【００４３】
地震などで生じる振動に反応して自動的に非常用の懐中電灯を点灯し、あるいは他の警報装置を動作させると同時に、ある時間の後、自動的に点灯や動作が切れるスイッチを提供できる。このことは他の原因でスイッチが入っても、自動的に切れることで電池の消耗を小さくでき、非常時に対応する能力を維持する。
【００４４】
さらに、振動に反応して自動的にスイッチが入ってからスイッチが切れるまでの時間を数分間確保でき、時間を均一に制御、選択ができる。
【００４５】
スイッチが入った場合に、白熱電球などの光源の明るさを落とすことなくスイッチの動作時間を確保できる。
【図面の簡単な説明】
【図１】本発明の振動反応型スイッチの実施例の断面図を示す。
【図２】図１の実施例での電流−保持時間のグラフを示す。
【図３】本発明の他の実施例の断面図を示す。
【図４】図３の実施例を懐中電灯に組み込んだ実施例を示す。
【図５】本発明の振動反応型スイッチの接続経路の模式図を示す。
【図６】振動に反応する自動スイッチの従来例を示す。
【図７】振動に反応する自動スイッチの他の従来例を示す。
【符号の説明】
１７　強磁性体の振り子
１８　形状記憶合金の金属線
２２　絶縁体
２４　永久磁石
３１　並列の導体
３３、４５、４６　電池
３６、４１、４２、４７　白熱電球
４９　抵抗素子
【図１】
2004127898.tif 000003
【図２】
2004127898.tif 000004
【図３】
2004127898.tif 000005
【図４】
2004127898.tif 000006
【図５】
2004127898.tif 000007
【図６】
2004127898.tif 000008
【図７】
2004127898.tif 000009